(57)【特許請求の範囲】
【請求項１】
映像のコンテンツデータを記録する記録部と、
前記記録部に記録されているコンテンツデータのジャンル、及び、前記記録部に記録されているコンテンツデータの映像が表示された際の画面サイズ、を含むコンテンツ管理設定情報を記憶する記憶部と、
前記記録部に記録予定のコンテンツデータのデータ量が、前記記録部の残容量以上であるか否かを判断し、当該データ量が当該残容量以上であると判断した場合に、前記コンテンツ管理設定情報を参照して、前記記録部に記録されているコンテンツデータの内、特定のジャンルのコンテンツデータの画面サイズを小さくすることで、前記記録部に記録されているコンテンツデータのデータ量を削減し、前記記録部の残容量を増やす制御部と、を備え、
前記制御部は、前記コンテンツ管理設定情報を参照して、前記ジャンル毎に、前記記録部に記録されているコンテンツデータの画面サイズよりも小さい画面サイズで視聴されている割合を算出し、当該算出された割合が予め定められた閾値よりも高いジャンルを前記特定のジャンルとすること
を特徴とする映像情報処理装置。
【請求項２】
映像のコンテンツデータを記録する記録部と、
表示装置の画素数、前記記録部に記録されているコンテンツデータの画素数、前記記録部に記録されているコンテンツデータのダビング履歴、及び、前記記録部に記録されているコンテンツデータのジャンルを含むコンテンツ管理設定情報を記憶する記憶部と、
前記コンテンツ管理設定情報を参照して、前記記録部に記録されているコンテンツデータの内、前記表示装置の画素数よりも大きい画素数を有するコンテンツデータの画素数を減らす第１の削減方法、前記コンテンツ管理設定情報を参照して、前記記録部に記録されているコンテンツデータの内、ダビングが行われたコンテンツデータを圧縮する第２の削減方法、及び、前記コンテンツ管理設定情報を参照して、前記記録部に記録されているコンテンツデータの内、特定のジャンルのコンテンツデータの画面サイズを小さくする第３の削減方法から、前記記録部の残容量を増やすために採用する少なくとも１つの削減方法の選択を受け付ける入力部と、
前記記録部に記録予定のコンテンツデータのデータ量が、前記記録部の残容量以上であるか否かを判断し、当該データ量が当該残容量以上であると判断した場合に、前記入力部で選択された削減方法を実行することで、前記記録部に記録されているコンテンツデータのデータ量を削減し、前記記録部の残容量を増やす制御部と、を備えること
を特徴とする映像情報処理装置。
【請求項３】
映像のコンテンツデータを記録する記録部と、
表示装置の画素数、前記記録部に記録されているコンテンツデータの画素数、前記記録部に記録されているコンテンツデータのダビング履歴、及び、前記記録部に記録されているコンテンツデータのジャンルを含むコンテンツ管理設定情報を記憶する記憶部と、
前記コンテンツ管理設定情報を参照して、前記記録部に記録されているコンテンツデータの内、前記表示装置の画素数よりも大きい画素数を有するコンテンツデータの画素数を減らす第１の削減方法、前記コンテンツ管理設定情報を参照して、前記記録部に記録されているコンテンツデータの内、ダビングが行われたコンテンツデータを圧縮する第２の削減方法、及び、前記コンテンツ管理設定情報を参照して、前記記録部に記録されているコンテンツデータ内、特定のジャンルのコンテンツデータの画面サイズを小さくする第３の削減方法から、前記記録部の残容量を増やすために採用する２つ以上の削減方法の選択と、当該採用された削減方法を実行する順番を示す優先順位の入力と、を受け付ける入力部と、
前記記録部に記録予定のコンテンツデータのデータ量が、前記記録部の残容量以上であるか否かを判断し、当該データ量が当該残容量以上であると判断した場合に、前記記録部に記録予定のコンテンツのデータ量が前記記録部の残容量以下となるまで、前記入力部に入力された優先順位で示される順番で、前記入力部で選択された削減方法を実行することで、前記記録部に記録されているコンテンツデータのデータ量を削減し、前記記録部の残容量を増やす制御部と、を備えること
を特徴とする映像情報処理装置。
【請求項４】
前記制御部は、前記記録部に翌日記録予定のコンテンツデータのデータ量が、前記記録部の残容量以上であるか否かを判断すること
を特徴とする請求項１から３の何れか一項に記載の映像情報処理装置。
【請求項５】
記録予定の映像のコンテンツデータのデータ量が、当該コンテンツデータを記録する記録部の残容量以上であるか否かを判断し、
前記データ量が前記残容量以上であると判断した場合に、前記記録部に記録されているコンテンツデータのジャンル、及び、前記記録部に記録されているコンテンツデータの映像が表示された際の画面サイズ、を含むコンテンツ管理設定情報を参照して、前記ジャンル毎に、前記記録部に記録されているコンテンツデータの画面サイズよりも小さい画面サイズで視聴されている割合を算出し、当該算出された割合が予め定められた閾値よりも高いジャンルを特定のジャンルとし、
前記コンテンツ管理設定情報を参照して、前記記録部に記録されているコンテンツデータの内、前記特定のジャンルのコンテンツデータの画面サイズを小さくすることで、前記記録部に記録されているコンテンツデータのデータ量を削減し、前記記録部の残容量を増やすこと
を特徴とする映像情報処理方法。
【発明の詳細な説明】
【技術分野】
【０００１】
本発明は、映像情報処理装置及び映像情報処理方法に関し、特に、コンテンツデータを記録する映像情報処理装置及び映像情報処理方法に関する。
【背景技術】
【０００２】
特許文献１には、録画に使用可能な記録装置(ハードディスクを含む)の容量を取得する第１取得部と、録画に必要な記録容量を取得する第２取得部と、録画対象の映像データの一部を切り出すことで画素数の少ない映像データを生成する為の切出し部と、この切出し部で生成される映像データを記録装置に録画する録画部とを備え、切出し部は、録画対象の映像データから切り出す領域を、映像データを録画する為に記録装置に必要な容量が、記録装置の使用可能な容量以下になるように決定する録画装置が記載されている。
【先行技術文献】
【特許文献】
【０００３】
【特許文献１】特開２０１１−１４２４５０号公報
【発明の概要】
【発明が解決しようとする課題】
【０００４】
従来の録画装置は、これから録画される映像データのデータ量が記録装置の残容量よりも大きい場合、画質を劣化させて残容量に収まるように記録していた。この場合、映像データは、記録装置に記録されるが、指定された録画画質モードよりも劣った画質状態となってしまう。
【０００５】
さらに、従来の録画装置は、装置が出力できる画素モード（８Ｋ、４Ｋ等）のコンテンツを記録装置に記録することができる。しかしながら、接続されている表示装置の画素モードが記録されているデータの画素モードよりも低かったり、既にダビングされてオリジナルのデータが他のメディアに保存されていたり、普段あまり再生されていないコンテンツやユーザの嗜好性がそこ迄高くないコンテンツであったりする場合がある。このような場合、ユーザにとってあまり重要でないコンテンツが記録装置の記録容量を圧迫してしまう。
【０００６】
そこで、本発明は、これから録画される映像のコンテンツデータのデータ量が記録部の残容量を上回っていても、その残容量を動的に変化させることで、これから録画されるコンテンツデータの品質を劣化させずに録画できるようにすることを目的とする。
【課題を解決するための手段】
【０００７】
本発明の第１の態様に係る映像情報処理装置は、映像のコンテンツデータを記録する記録部と、前記記録部に記録されているコンテンツデータのジャンル、及び、前記記録部に記録されているコンテンツデータの映像が表示された際の画面サイズ、を含むコンテンツ管理設定情報を記憶する記憶部と、前記記録部に記録予定のコンテンツデータのデータ量が、前記記録部の残容量以上であるか否かを判断し、当該データ量が当該残容量以上であると判断した場合に、前記コンテンツ管理設定情報を参照して、前記記録部に記録されているコンテンツデータの内、特定のジャンルのコンテンツデータの画面サイズを小さくすることで、前記記録部に記録されているコンテンツデータのデータ量を削減し、前記記録部の残容量を増やす制御部と、を備え、前記制御部は、前記コンテンツ管理設定情報を参照して、前記ジャンル毎に、前記記録部に記録されているコンテンツデータの画面サイズよりも小さい画面サイズで視聴されている割合を算出し、当該算出された割合が予め定められた閾値よりも高いジャンルを前記特定のジャンルとすることを特徴とする。
本発明の第２の態様に係る映像情報処理装置は、映像のコンテンツデータを記録する記録部と、表示装置の画素数、前記記録部に記録されているコンテンツデータの画素数、前記記録部に記録されているコンテンツデータのダビング履歴、及び、前記記録部に記録されているコンテンツデータのジャンルを含むコンテンツ管理設定情報を記憶する記憶部と、前記コンテンツ管理設定情報を参照して、前記記録部に記録されているコンテンツデータの内、前記表示装置の画素数よりも大きい画素数を有するコンテンツデータの画素数を減らす第１の削減方法、前記コンテンツ管理設定情報を参照して、前記記録部に記録されているコンテンツデータの内、ダビングが行われたコンテンツデータを圧縮する第２の削減方法、及び、前記コンテンツ管理設定情報を参照して、前記記録部に記録されているコンテンツデータの内、特定のジャンルのコンテンツデータの画面サイズを小さくする第３の削減方法から、前記記録部の残容量を増やすために採用する少なくとも１つの削減方法の選択を受け付ける入力部と、前記記録部に記録予定のコンテンツデータのデータ量が、前記記録部の残容量以上であるか否かを判断し、当該データ量が当該残容量以上であると判断した場合に、前記入力部で選択された削減方法を実行することで、前記記録部に記録されているコンテンツデータのデータ量を削減し、前記記録部の残容量を増やす制御部と、を備えることを特徴とする。
本発明の第３の態様に係る映像情報処理装置は、映像のコンテンツデータを記録する記録部と、表示装置の画素数、前記記録部に記録されているコンテンツデータの画素数、前記記録部に記録されているコンテンツデータのダビング履歴、及び、前記記録部に記録されているコンテンツデータのジャンルを含むコンテンツ管理設定情報を記憶する記憶部と、前記コンテンツ管理設定情報を参照して、前記記録部に記録されているコンテンツデータの内、前記表示装置の画素数よりも大きい画素数を有するコンテンツデータの画素数を減らす第１の削減方法、前記コンテンツ管理設定情報を参照して、前記記録部に記録されているコンテンツデータの内、ダビングが行われたコンテンツデータを圧縮する第２の削減方法、及び、前記コンテンツ管理設定情報を参照して、前記記録部に記録されているコンテンツデータ内、特定のジャンルのコンテンツデータの画面サイズを小さくする第３の削減方法から、前記記録部の残容量を増やすために採用する２つ以上の削減方法の選択と、当該採用された削減方法を実行する順番を示す優先順位の入力と、を受け付ける入力部と、前記記録部に記録予定のコンテンツデータのデータ量が、前記記録部の残容量以上であるか否かを判断し、当該データ量が当該残容量以上であると判断した場合に、前記記録部に記録予定のコンテンツのデータ量が前記記録部の残容量以下となるまで、前記入力部に入力された優先順位で示される順番で、前記入力部で選択された削減方法を実行することで、前記記録部に記録されているコンテンツデータのデータ量を削減し、前記記録部の残容量を増やす制御部と、を備えることを特徴とする。
【０００８】
本発明の一態様に係る映像情報処理方法は、記録予定の映像のコンテンツデータのデータ量が、当該コンテンツデータを記録する記録部の残容量以上であるか否かを判断し、前記データ量が前記残容量以上であると判断した場合に、前記記録部に記録されているコンテンツデータのジャンル、及び、前記記録部に記録されているコンテンツデータの映像が表示された際の画面サイズ、を含むコンテンツ管理設定情報を参照して、前記ジャンル毎に、前記記録部に記録されているコンテンツデータの画面サイズよりも小さい画面サイズで視聴されている割合を算出し、当該算出された割合が予め定められた閾値よりも高いジャンルを特定のジャンルとし、前記コンテンツ管理設定情報を参照して、前記記録部に記録されているコンテンツデータの内、前記特定のジャンルのコンテンツデータの画面サイズを小さくすることで、前記記録部に記録されているコンテンツデータのデータ量を削減し、前記記録部の残容量を増やすことを特徴とする。
【発明の効果】
【０００９】
本発明の一態様によれば、これから録画される映像のコンテンツデータのデータ量が記録部の残容量を上回っていても、これから録画されるコンテンツデータの品質を劣化させずに録画することができる。
【図面の簡単な説明】
【００１０】
【図１】実施の形態１〜３に係る映像情報処理装置の構成の一例を示すブロック図である。
【図２】実施の形態１におけるメモリに格納された各種情報の一例を示す概略図である。
【図３】実施の形態１におけるコンテンツ一覧情報の表示例を示す概略図である。
【図４】実施の形態１におけるコンテンツ管理設定情報の一例を示す概略図である。
【図５】実施の形態１〜３におけるバックエンド部の構成を概略的に示すブロック図である。
【図６】実施の形態１におけるコンテンツデータの減縮を行うか否かを判断する処理の一例を示すステートチャート図である。
【図７】実施の形態１においてコンテンツデータの減縮を行う際の処理の一例を示すステートチャート図である。
【図８】（Ａ）及び（Ｂ）は、実施の形態１におけるコンテンツデータの減縮の効果を説明するための概略図である。
【図９】実施の形態２におけるコンテンツ管理設定情報の一例を示す概略図である。
【図１０】実施の形態２におけるコンテンツ減縮設定画面の一例を示す概略図である。
【図１１】実施の形態２におけるコンテンツ減縮フラグを生成する際の処理の一例を示すステートチャート図である。
【図１２】実施の形態２においてコンテンツデータの減縮を行う際の処理の一例を示すステートチャート図である。
【図１３】実施の形態３におけるコンテンツ管理設定情報の一例を示す概略図である。
【図１４】実施の形態３において、コンテンツデータの減縮を行うか否かを判断する処理の一例を示すステートチャート図である。
【図１５】実施の形態３においてコンテンツデータの減縮を行う際の処理の一例を示すステートチャート図である。
【発明を実施するための形態】
【００１１】
以下、本発明の実施の形態を図面に従って説明する。
実施の形態１．
図１は、実施の形態１に係る映像情報処理装置の構成の一例を示すブロック図である。
図１に示されている映像情報処理装置１００は、記録装置の残容量と取得予定の総データ量とを比較して、前者が後者よりも少ない場合に、記録装置に記録されているデータ量を削減することで、記録装置の残容量を増やす。これにより、取得予定のデータの品質を劣化させることなく取得することができる。
なお、実施の形態１に係る映像情報処理方法は、映像情報処理装置１００により実行される方法である。
【００１２】
映像情報処理装置１００は、チューナ部１０１と、復調ＬＳＩ（Ｌａｒｇｅ  Ｓｃａｌｅ  Ｉｎｔｅｇｒａｔｉｏｎ）１０２と、デマルチプレクサ１０３と、デコーダ１０４と、ネットワークインタフェース（以下、ネットワークＩ／Ｆという）１０５と、Ｗｅｂブラウザ部１０６と、ストリーミング受信処理部１０７と、ＤＲＭ（Ｄｉｇｉｔａｌ  Ｒｉｇｈｔｓ  Ｍａｎａｇｅｍｅｎｔ）処理部１０８と、デクリプタ１０９と、ＨＤＤ（Ｈａｒｄ  Ｄｉｓｋ  Ｄｒｉｖｅ）１１０と、ＲＯＭ（Ｒｅａｄ  Ｏｎｌｙ  Ｍｅｍｏｒｙ）１１１と、ＲＡＭ（Ｒａｎｄｏｍ  Ａｃｃｅｓｓ  Ｍｅｍｏｒｙ）１１２と、ＡＶ（Ａｕｄｉｏ  Ｖｉｓｕａｌ）出力インタフェース（以下、ＡＶ  Ｉ／Ｏという）１１３と、ＣＰＵ（Ｃｅｎｔｒａｌ  Ｐｒｏｃｅｓｓｉｎｇ  Ｕｎｉｔ）１１４と、ローカルバス１１５とを備える。
【００１３】
チューナ部１０１、復調ＬＳＩ１０２、デマルチプレクサ１０３及びデコーダ１０４は、主としてデジタル放送受信機能を実現するデジタル放送受信処理部である。具体的には、チューナ部１０１、復調ＬＳＩ１０２、デマルチプレクサ１０３及びデコーダ１０４は、アンテナ１３０Ａ、１３０Ｂ（以下、各々を特に区別する必要がない場合には、アンテナ１３０という）で受信された電波から、映像信号及び音声信号を生成する。生成された映像信号及び音声信号は、ＡＶ  Ｉ／Ｏ１１３から表示装置１４０に出力され、表示装置１４０で表示等が行われる。
【００１４】
チューナ部１０１は、アンテナ１３０で受信された電波に含まれる複数チャンネルの信号のうち、何れかのチャンネルの周波数の受信信号を抽出して、抽出された受信信号を復調ＬＳＩ１０２に与える。
復調ＬＳＩ１０２は、チューナ部１０１から与えられた受信信号の復調及び誤り訂正を行い、コンテンツデータとしてのトランスポートストリーム（以下、ＴＳという）をデマルチプレクサ１０３及びＨＤＤ１１０の内少なくとも何れか一方に与える。
ここで、チューナ部１０１及び復調ＬＳＩ１０２は、映像のコンテンツデータとしてのＴＳを受信する第１のコンテンツデータ受信部として機能する。
【００１５】
デマルチプレクサ１０３は、復調ＬＳＩ１０２から与えられたＴＳから必要なデータを分離する。例えば、デマルチプレクサ１０３は、復調ＬＳＩ１０２から与えられたＴＳからサービス情報（ＳＩ）及び番組特定情報（ＰＳＩ）を取得し、これらの情報からＴＳ中の映像ＴＳパケット及び音声ＴＳパケットの中から特定のＴＳパケットを分離するためのＴＳパケット識別子の値を検出する。そして、デマルチプレクサ１０３は、特定のＴＳパケット識別子に対応するＴＳパケットを分離して、分離されたＴＳパケットをデコーダ１０４に与える。
デコーダ１０４は、デマルチプレクサ１０３からの映像ＴＳパケット及び音声ＴＳパケットの内の少なくとも１種類のＴＳパケットのデコードを行い、得られたデコード信号（映像信号及び音声信号）をＡＶ  Ｉ／Ｏ１１３経由で表示装置１４０に出力する。
ここで、デマルチプレクサ１０３及びデコーダ１０４は、コンテンツデータからコンテンツ（映像）を再生するための再生部として機能する。
【００１６】
また、番組を録画する際には、ＨＤＤ１１０は、復調ＬＳＩ１０２から与えられたＴＳを記録する。記録された番組（コンテンツ）を再生する際には、ＨＤＤ１１０に記録されたＴＳがデマルチプレクサ１０３に与えられて再生される。
【００１７】
なお、詳細には記述しないがチューナ部１０１で受信された信号及びＨＤＤ１１０に格納されたデータがデコーダ１０４でデコードされ表示装置１４０に表示されるこれらの過程は、今後、４Ｋ、８Ｋ、更には異なる画素モードの映像情報に対しても対応しうるものとする。
【００１８】
ネットワークＩ／Ｆ１０５、ストリーミング受信処理部１０７、ＤＲＭ処理部１０８、デクリプタ１０９及びＷｅｂブラウザ部１０６は、主としてネットワークテレビ機能を実現するためのデータ受信処理部である。
ネットワークＩ／Ｆ１０５は、ネットワーク１５０との間でデータを送受信する通信部である。ここで、ネットワーク１５０は、具体的には電気通信網又はコンピュータネットワークであり、ここではインターネットである。
Ｗｅｂブラウザ部１０６は、例えば、ＨＴＭＬブラウザを用いて処理を行い、ネットワークＩ／Ｆ１０５を介して、ネットワーク１５０上の特定のコンテンツサーバ（図示せず）からのＷｅｂコンテンツのデータを取得し、このＷｅｂコンテンツを表示装置１４０に表示させる。
また、Ｗｅｂブラウザ部１０６は、コンテンツサーバから取得するコンテンツがストリーミングコンテンツである場合には、ストリーミング受信処理部１０７に指示して、そのデータを受信させる。
【００１９】
ストリーミング受信処理部１０７は、ネットワーク１５０上のストリーミングコンテンツのデータを、ネットワークＩ／Ｆ１０５を介して受信し、受信されたデータをデクリプタ１０９に与える。
ＤＲＭ処理部１０８は、ストリーミング受信処理部１０７で受信されたストリーミングコンテンツのデータを復号するための鍵を、ネットワークＩ／Ｆ１０５を介して、ネットワーク１５０上の特定のコンテンツサーバ（図示せず）から取得する。
デクリプタ１０９は、ＤＲＭ処理部１０８で取得された鍵を用いて、ストリーミング受信処理部１０７で受信されたストリーミングコンテンツのデータをデクリプト（復号）して、コンテンツデータとしてのＴＳを生成する。生成されたＴＳは、デマルチプレクサ１０３、デコーダ１０４及びＡＶ  Ｉ／Ｏ１１３で処理されて、音声信号及び映像信号が表示装置１４０に与えられ、ストリーミングコンテンツが表示装置１４０に表示される。なお、コンテンツデータを記録する場合には、生成されたＴＳは、ＨＤＤ１１０に送られ、コンテンツデータとしてＨＤＤ１１０に記録される。
ここで、ネットワークＩ／Ｆ１０５、Ｗｅｂブラウザ部１０６、ストリーミング受信処理部１０７、ＤＲＭ処理部１０８及びデクリプタ１０９は、映像のコンテンツデータとしてのＴＳを受信する第２のコンテンツデータ受信部として機能する。
なお、以上に記載した第１のコンテンツデータ受信部及び第２のコンテンツデータ受信部の各々を特に区別する必要がないときは、コンテンツデータ受信部という。
【００２０】
ＨＤＤ１１０は、復調ＬＳＩ１０２又はデクリプタ１０９から送られてきたＴＳをコンテンツデータとして記録する。言い換えると、ＨＤＤ１１０は、映像のコンテンツデータを記録する記録部である。
【００２１】
ＲＯＭ１１１及びＲＡＭ１１２は、映像情報処理装置１００での処理に必要な情報を記憶するメモリ（記憶部）として機能する。
図２は、メモリに格納された各種情報の一例を示す概略図である。
これらの情報は、通常、ＲＯＭ１１１に格納され、ＲＡＭ１１２に読み出されてＣＰＵ１１４により更新される。
例えば、メモリには、機器設定情報１６０、放送受信設定情報１６１、ネットワーク設定情報１６２、コンテンツ一覧情報１６３及びコンテンツ管理設定情報１６４が記憶される。なお、メモリには、これら以外の情報も記憶され、また、処理に必要なプログラム等も記憶される。
【００２２】
図３は、コンテンツ一覧情報の表示例を示す概略図である。
コンテンツ一覧情報１６３は、ＨＤＤ１１０に記憶されているコンテンツデータを管理するための情報である。
本実施の形態におけるコンテンツ一覧情報１６３は、全てタブ１６３ａと、編集なしタブ１６３ｂと、♪タブ１６３ｃとを有し、ＨＤＤ１１０に記録されているコンテンツデータをこれらの３種類に分けて管理している。
全てのタブ１６３ａは、ＨＤＤ１１０に記録されている全てのコンテンツデータに関連する情報のリストを表示させるためのタブである。
編集なしタブ１６３ｂは、ＨＤＤ１１０に記録されているコンテンツデータの内、ユーザが、例えば、自身の見たいシーンだけを編集して残している場合等の編集済みのコンテンツデータを除外したコンテンツデータに関連する情報のリストを表示させるためのタブである。
♪タブ１６３ｃは、ＨＤＤ１１０に記録されているコンテンツデータの内、主にＥＩＴ（Ｅｖｅｎｔ  Ｉｎｆｏｒｍａｔｉｏｎ  Ｔａｂｌｅ）情報から音楽番組だと思われる番組のコンテンツデータに関連する情報のリストを表示させるためのタブである。
【００２３】
ここで、全てのタブにおいて、コンテンツデータが取得されたチャンネル（ＣＨ）と、コンテンツデータのタイトルと、コンテンツデータの画素モードと、コンテンツデータの録画日とが表示される。
なお、コンテンツ管理設定情報１６４は、この全てのタブ１６３ａで表示される各コンテンツデータに関連する上記情報に加え、コンテンツデータ毎に更なる情報を付与したものである。
【００２４】
図４は、コンテンツ管理設定情報の一例を示す概略図である。
コンテンツ管理設定情報１６４は、ＨＤＤ１１０に記録されているコンテンツデータのデータ量を管理するための情報であり、例えば、表示装置１４０の画素数（解像度）、ＨＤＤ１１０に記録されているコンテンツデータの画素数（解像度）、及び、ＨＤＤ１１０に記録されているコンテンツデータのダビング履歴等を含む。
図４に示されているコンテンツ管理設定情報１６４は、接続画素モード欄１６４ａと、管理Ｎｏ列１６４ｂと、チャンネル列（以下、ＣＨ列という）１６４ｃと、タイトル列１６４ｄと、画素モード列１６４ｅと、取得日列１６４ｆと、ダビング履歴列１６４ｇと、減縮判断列１６４ｈとを有する。
【００２５】
接続画素モード欄１６４ａは、映像情報処理装置１００が映像信号を出力する表示装置の画素モードを格納する。ここでは、表示装置１４０の画素モードが格納されている。なお、画素モードは、画素数（解像度）に応じた情報である。
管理Ｎｏ列１６４ｂは、ＨＤＤ１１０に記録されたコンテンツデータを識別するためのコンテンツ識別情報である管理番号を格納する。
ＣＨ列１６４ｃは、管理Ｎｏ列１６４ｂで識別されるコンテンツデータを取得したチャンネルを識別するためチャンネル識別番号であるチャンネル番号を格納する。
タイトル列１６４ｄは、管理Ｎｏ列１６４ｂで識別されるコンテンツデータのタイトルを格納する。
画素モード列１６４ｅは、管理Ｎｏ列１６４ｂで識別されるコンテンツデータの画素モードを格納する。
【００２６】
取得日列１６４ｆは、管理Ｎｏ列１６４ｂで識別されるコンテンツデータが記録された日付を格納する。
ダビング履歴列１６４ｇは、管理Ｎｏ列１６４ｂで識別されるコンテンツデータがダビングされたか否かを示すダビング履歴を示す情報を格納する。例えば、ダビング履歴を示す情報が「なし」の場合は、ダビングされていないことを示し、ダビング履歴を示す情報が数字である場合は、ダビングされた回数を示す。
減縮判断列１６４ｈは、管理Ｎｏ列１６４ｂで識別されるコンテンツデータの減縮を行うか否かを示す減縮判断情報を格納する。減縮判断情報が「○」の場合は、減縮を行うことを示し、減縮判断情報が「−」の場合は、減縮を行わないことを示す。
【００２７】
図１に戻り、ＣＰＵ１１４は、映像情報処理装置１００における処理を制御する。例えば、ＣＰＵ１１４は、ローカルバス１１５を介して、ＲＯＭ１１１、ＲＡＭ１１２、復調ＬＳＩ１０２、デマルチプレクサ１０３、デコーダ１０４、デクリプタ１０９等に対して指令を出したり応答結果を受信したりして、これらの統括を行っている。ＲＯＭ１１１は、ＣＰＵ１１４に用いられるプログラムやデータ等が記録された読み出し専用の不揮発性メモリである。ＲＡＭ１１２は、ＣＰＵ１１４に用いられるプログラムやデータ等を一時的に蓄えるための読み書き可能な揮発性メモリである。
また、ＣＰＵ１１４は、ＨＤＤ１１０に記憶されているコンテンツデータを管理して、ＨＤＤ１１０の残容量を制御するバックエンド部としても機能する。
【００２８】
図５は、バックエンド部１２０の構成を概略的に示すブロック図である。
バックエンド部１２０は、コンテンツ情報管理部１２１と、表示装置情報取得部１２２と、表示装置画素数取得部１２３と、コンテンツ減縮判断部１２４と、番組予約部１２５と、ＨＤＤコンテンツ管理部１２６と、ＨＤＤデータ減縮部１２７とを備える。
ここで、バックエンド部１２０は、ＨＤＤ１１０に記録予定のコンテンツデータのデータ量がＨＤＤ１１０の残容量以上であるか否かを判断して、そのデータ量がその残容量以上であると判断した場合に、ＨＤＤ１１０に記録されているコンテンツデータのデータ量を削減することで、ＨＤＤ１１０の残容量を増やす制御部として機能する。
【００２９】
コンテンツ情報管理部１２１は、ユーザによる録画又は視聴を管理して、コンテンツ管理設定情報１６４を更新する。例えば、コンテンツ情報管理部１２１は、ユーザによる録画又は視聴に基づいて、ＨＤＤ１１０に格納されたコンテンツデータを管理するためのコンテンツ管理設定情報１６４を更新する。ＨＤＤ１１０に格納されたコンテンツデータは、例えば、アンテナ１３０で受信され、ＨＤＤ１１０に記録された後に再生されて表示装置１４０に表示されるテレビ放送番組のデータ、又は、ネットワーク１５０上の特定のコンテンツサーバからＨＤＤ１１０にダウンロードされた後表示装置１４０に表示されるストリーミングコンテンツのデータである。例えば、コンテンツ情報管理部１２１は、ユーザが録画を行った場合には、録画されたコンテンツデータに関連する情報（ここでは、タイトル、画素モード及び取得日）を取得して、コンテンツ管理設定情報１６４に格納する。また、コンテンツ情報管理部１２１は、ＨＤＤコンテンツ管理部１２６からダビング履歴情報を取得し、そのダビング履歴情報に基づいて、コンテンツ管理設定情報１６４に格納されているダビング履歴を更新する。さらに、コンテンツ情報管理部１２１は、表示装置画素数取得部１２３で取得された画素モード情報をコンテンツ管理設定情報１６４に格納する。
【００３０】
表示装置情報取得部１２２は、ＡＶ  Ｉ／Ｏ１１３を介して、表示装置１４０から表示装置の性能を示す表示装置情報（例えば、表示装置１４０の画素モード、使用電力量及び待機電力量等）を取得する。例えば、表示装置情報取得部１２２は、表示装置１４０に直接結線され、表示装置１４０から表示装置情報を取得する。
表示装置画素数取得部１２３は、表示装置情報取得部１２２が取得した表示装置情報の内、表示装置１４０の画素モード（２Ｋ、４Ｋ又は８Ｋ等）を取得する。ここで取得された画素モード情報は、表示装置画素数取得部１２３からＨＤＤコンテンツ管理部１２６を介してコンテンツ情報管理部１２１に送られる。コンテンツ情報管理部１２１は、コンテンツ管理設定情報１６４の接続画素モード欄１６４ａを更新する。
【００３１】
コンテンツ減縮判断部１２４は、コンテンツ管理設定情報１６４を参照して、コンテンツデータ毎に減縮を行うか否かを判断する。コンテンツ減縮判断部１２４での判断結果は、コンテンツ情報管理部１２１に送られる。コンテンツ情報管理部１２１は、その判断結果に応じて、コンテンツ管理設定情報１６４の減縮判断列１６４ｈを更新する。
【００３２】
番組予約部１２５は、映像情報処理装置１００におけるコンテンツの予約を管理する。例えば、番組予約部１２５は、アンテナ１３０で受信される放送波の番組を予約録画するため、又は、ネットワーク１５０上の特定のコンテンツサーバからストリーミングコンテンツの番組を予約ダウンロードするために、ユーザがメニューの番組予約画面（図示せず）で設定した内容に基づいて、ＲＯＭ１１１に格納されている番組予約情報（図示せず）を更新する。番組予約情報は、例えば、録画する日時及びチャンネル等を含む情報である。
【００３３】
ＨＤＤコンテンツ管理部１２６は、ＨＤＤ１１０を管理する。
例えば、ＨＤＤコンテンツ管理部１２６は、ＨＤＤ１１０に記録されているコンテンツデータ毎にダビングされた回数を示すダビング履歴情報をＲＯＭ１１１に記憶しておく。そして、ＨＤＤコンテンツ管理部１２６は、ＨＤＤ１１０に記録されているコンテンツデータがダビングされる毎（例えば、ＢＤ−Ｒに、ある番組のコンテンツデータが保存される毎）に、ダビング履歴情報を更新する。
また、ＨＤＤコンテンツ管理部１２６は、ＨＤＤ１１０からその残容量を取得し、番組予約部１２５から翌日に取得予定の番組の総データ量を取得する。そして、ＨＤＤコンテンツ管理部１２６は、取得された残容量と総データ量とを比較する。その比較の結果、前者が後者よりも少ない場合、ＨＤＤコンテンツ管理部１２６は、ＨＤＤデータ減縮部１２７にＨＤＤ１１０のデータ量削減命令を通知する。
【００３４】
ＨＤＤデータ減縮部１２７は、ＨＤＤコンテンツ管理部１２６からの通知に応じて、コンテンツ管理設定情報１６４を参照して、コンテンツ減縮判断部１２４が減縮すると判断したコンテンツデータのデータ量を削減する。例えば、ＨＤＤデータ減縮部１２７は、対象となるコンテンツデータのダウンサイジング及び圧縮の少なくとも何れか一方を行うことで、ＨＤＤ１１０のデータ量を減らして、ＨＤＤ１１０の残容量を増やす。
具体的には、ＨＤＤデータ減縮部１２７は、コンテンツ管理設定情報１６４を参照して、ＨＤＤ１１０に記録されているコンテンツデータの内、表示装置１４０の画素数よりも大きい画素数を有するコンテンツデータの画素数を減らす。言い換えると、ＨＤＤデータ減縮部１２７は、コンテンツデータの解像度を下げる。
また、ＨＤＤデータ減縮部１２７は、コンテンツ管理設定情報１６４を参照して、ＨＤＤ１１０に記録されているコンテンツデータの内、ダビングが行われたコンテンツデータを圧縮する。
【００３５】
図１に戻り、ローカルバス１１５は、データの伝送路である。
表示装置１４０は、映像情報処理装置１００から与えられた映像信号に基づいて映像を出力するディスプレイ及び映像情報処理装置１００から与えられた音声信号に基づいて音声を出力するスピーカを備える。
ここで、映像情報処理装置１００は、アンテナ１３０又は表示装置１４０を含み、物理的に一体に構成されていてもよい。
また、ネットワーク１５０上のコンテンツとしては、ＨＴＭＬ（Ｈｙｐｅｒ  Ｔｅｘｔ  Ｍａｒｋｕｐ  Ｌａｎｇｕａｇｅ）コンテンツ等のＷｅｂコンテンツ、又は、ユーチューブ（ＹｏｕＴｕｂｅ（登録商標））等のネットワークストリーミングコンテンツ等がある。
【００３６】
以上に記載されたＷｅｂブラウザ部１０６、ストリーミング受信処理部１０７、ＤＲＭ処理部１０８及びデクリプタ１０９は、ＣＰＵ１１４が、予め定められたプログラムを実行することにより実現することができる。
また、Ｗｅｂブラウザ部１０６、ストリーミング受信処理部１０７、ＤＲＭ処理部１０８及びデクリプタ１０９の全部又は一部は、処理回路により実現することができる。処理回路は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又は、これらを組み合わせたものが該当する。
【００３７】
図６は、コンテンツデータの減縮を行うか否かを判断する処理の一例を示すステートチャート図である。
まず、バックエンド部１２０のコンテンツ情報管理部１２１は、ＨＤＤコンテンツ管理部１２６を介して、表示装置画素数取得部１２３から表示装置１４０の画素数を取得し、コンテンツ管理設定情報１６４の接続画素モード欄１６４ａの情報を更新する（Ｓ１０）。
【００３８】
次に、コンテンツ情報管理部１２１は、コンテンツ一覧情報１６３からコンテンツデータ毎に画素モードを取得するとともに、ＨＤＤコンテンツ管理部１２６からダビング履歴情報を取得し、コンテンツ管理設定情報１６４の対応する列の値を更新する（Ｓ１１）。
【００３９】
次に、コンテンツ減縮判断部１２４は、接続画素モードと、コンテンツデータ毎の画素モードとを比較し、前者が小さければ後者を前者に一致させることでコンテンツデータのデータ量を削減すると判断する。この判断に応じて、コンテンツ情報管理部１２１は、そのコンテンツデータの減縮判断列１６４ｈの値を「○」にする（Ｓ１２）。
【００４０】
そして、コンテンツ減縮判断部１２４は、コンテンツデータ毎にダビング履歴があるか否かを確認し、ダビング履歴があるコンテンツデータのデータ量を削減すると判断する。この判断に応じて、コンテンツ情報管理部１２１は、そのコンテンツデータの減縮判断列１６４ｈの値を「○」にする（Ｓ１３）。
【００４１】
図７は、実施の形態１においてコンテンツデータの減縮を行う際の処理の一例を示すステートチャート図である。
まず、バックエンド部１２０のＨＤＤコンテンツ管理部１２６は、ＨＤＤ１１０の残容量と、翌日の取得予定のコンテンツ（放送波による予約録画及びＷｅｂからの予約ダウンロードを含む）の総データ量とを比較する（Ｓ２０）。
【００４２】
次に、ＨＤＤコンテンツ管理部１２６は、ステップＳ２０での比較の結果、ＨＤＤ残容量＞取得予定総データ量の場合と、ＨＤＤ残容量≦取得予定総データ量の場合とで、場合分けを行う（Ｓ２１）。
【００４３】
ＨＤＤ残容量＞取得予定総データ量の場合は、取得予定のコンテンツデータを問題なくＨＤＤ１１０に記録することができるため、何もしないで処理は終了する。
ＨＤＤ残容量≦取得予定総データ量の場合は、取得予定のコンテンツデータはそのままではＨＤＤ１１０に記録することができない。このため、ＨＤＤデータ減縮部１２７は、ＨＤＤコンテンツ管理部１２６を介して、減縮判断列１６４ｈの値が「○」となっているコンテンツデータの減縮を行う。ここでは、ＨＤＤデータ減縮部１２７は、減縮対象のコンテンツデータで、画素モードを接続画素モード欄１６４ａに格納されている表示装置１４０の画素モードにまでダウンコンバートできるものの内、最も画素モードの値が高いものをダウンコンバートする（Ｓ２２）。ここでは、最も高い画素モードのコンテンツデータを一段下の画素モードにコンバートする。例えば、最も高い画素モードが８Ｋであった場合には、８Ｋの画素モードを４Ｋの画素モードにダウンコンバートし、最も高い画素モードが４Ｋであった場合には、４Ｋの画素モードを２Ｋの画素モードにダウンコンバートする。
【００４４】
次に、ＨＤＤデータ減縮部１２７は、減縮判断列１６４ｈの値が「○」となっているコンテンツデータの圧縮を行う（Ｓ２３）。ここでは、ＨＤＤデータ減縮部１２７は、複数の圧縮方式に対応しているものとし、現在のコンテンツデータの圧縮方式よりも一段データ量が少なくなる圧縮方式にて、コンテンツデータを圧縮するものとする。
そして、処理はステップＳ２０に戻るが、ステップＳ２２で減縮対象の全てのコンテンツデータが表示装置１４０の画素モードにまでダウンコンバートされており、かつ、ステップＳ２３で減縮対象の全てのコンテンツデータが最も圧縮率の高い圧縮方式で圧縮されている場合には、処理を終了するものとする。
【００４５】
例えば、図４に示されているコンテンツ管理設定情報１６４では、接続画素モード欄１６４ａの値が２Ｋであるため、画素モード８Ｋの「音楽ステーション」及び画素モード４Ｋの「軍師勘太郎」のコンテンツデータが、ダウンコンバート及び圧縮の対象となる。さらに、ダビング履歴において「ミュージック鳳凰」のコンテンツデータは、１回ダビングされているため、圧縮の対象となる。
【００４６】
なお、図７に示す例では、ステップＳ２２で、ＨＤＤデータ減縮部１２７は、最も画素モードの高いコンテンツデータを一段下の画素モードに変更するようにしているが、例えば、ダウンコンバート可能なコンテンツデータの画素モードを表示装置１４０の画素モードにまでダウンコンバートしてもよい。また、ステップＳ２３で、減縮判断列１６４ｈは、一つの圧縮方式にのみ対応していてもよい。このような場合には、ステップＳ２３の後に、処理は終了すればよい。
【００４７】
図８（Ａ）及び（Ｂ）は、コンテンツデータの減縮の効果を説明するための概略図である。
図８（Ａ）に示されているように、翌日の録画及びダウンロード番組である「録画番組１」、「ダウンロード（ＤＬ）番組１」及び「録画番組２」の総データ量が、ＨＤＤ１１０の残容量Ｒ１よりも大きいため、全て録画し切れない。
図８（Ｂ）に示されているように、コンテンツ管理設定情報１６４の減縮判断列１６４ｈの値が「○」となっているコンテンツデータの減縮を行うことで、ＨＤＤ１１０の残容量Ｒ２が増えるため、これらの総データ量がＨＤＤ１１０残容量Ｒ２以下となり、全て問題なく録画することができる。
【００４８】
以上説明した実施の形態１によれば、下記（１）及び（２）の効果が得られる。
（１）実施の形態１では、映像情報処理装置１００は、接続されている表示装置１４０の画素モードを予め取得しておく。さらに、各コンテンツデータの画素モード及びダビング履歴をコンテンツ管理設定情報１６４で管理し、どのコンテンツデータを減縮するかを決定する。この状態で、映像情報処理装置１００は、今後の取得予定のコンテンツの総データ量とＨＤＤ１１０の残容量とを比較し、前者が後者以上である場合は、コンテンツデータに対して減縮を行い、ＨＤＤ１１０の残容量を増やす。このため、今後の取得予定のコンテンツのデータを劣化させる事なくＨＤＤ１１０に記録させることができる。
【００４９】
例えば、特許文献１に記載されたシステムではＨＤＤ等の記録装置にこれから録画される映像データの総データ量がＨＤＤ残容量に対して不足する際、画質を劣化させてＨＤＤ残容量に収まる様に記録している。この場合、映像データは指定された録画画質モードよりも劣った画質状態となってしまう。これに対し、実施の形態１では、減縮することが決定されたコンテンツデータを減縮することで、ＨＤＤ残容量を動的に増やし、取得予定コンテンツのデータを劣化させずにＨＤＤ１１０に記録させることができる。
【００５０】
（２）映像情報処理装置１００は、コンテンツ管理設定情報１６４にて各コンテンツデータの画素モードとダビング履歴とから、コンテンツデータを減縮する対象を決定する。これによりどのコンテンツデータを減縮するかを決定する事ができるため、ＨＤＤ１１０の動的圧縮に柔軟性を持たせることができる。
【００５１】
以上に記載された実施の形態１においては、画素モードが表示装置１４０の画素モードよりも大きいコンテンツデータ及びダビングされたコンテンツデータの減縮を行っているが、このような例に限定されない。例えば、コンテンツ管理設定情報１６４に、コンテンツデータのジャンルを含めておき、ＨＤＤデータ減縮部１２７は、ＨＤＤ１１０に記録されているコンテンツデータの内、特定のジャンルのコンテンツデータの画面サイズを小さくすることで、ＨＤＤ１１０の残容量を増やしてもよい。即ち、画面サイズに合わせて、コンテンツデータに含まれている画像データの一部を切り出すことで、データ量を削減することができる。なお、コンテンツ情報管理部１２１は、コンテンツ管理設定情報１６４にコンテンツデータの映像が表示された際の画面サイズを含めておき、コンテンツ減縮判断部１２４は、コンテンツ管理設定情報１６４を参照して、ジャンル毎に、コンテンツデータの画面サイズよりも小さい画面サイズで視聴されている割合を算出する。そして、コンテンツ減縮判断部１２４は、算出された割合が予め定められた閾値よりも高いジャンルを、減縮の対象となるジャンルとすればよい。
【００５２】
実施の形態２．
以下、実施の形態２を説明する。
図１に示されているように、実施の形態２に係る映像情報処理装置２００は、チューナ部１０１と、復調ＬＳＩ１０２と、デマルチプレクサ１０３と、デコーダ１０４と、ネットワークＩ／Ｆ１０５と、Ｗｅｂブラウザ部１０６と、ストリーミング受信処理部１０７と、ＤＲＭ処理部１０８と、デクリプタ１０９と、ＨＤＤ１１０と、ＲＯＭ２１１と、ＲＡＭ２１２と、ＡＶ  Ｉ／Ｏ１１３と、ＣＰＵ２１４と、ローカルバス１１５とを備える。実施の形態２に係る映像情報処理装置２００は、ＲＯＭ２１１及びＲＡＭ２１２に記憶される情報、並びに、ＣＰＵ２１４での処理を除いて、実施の形態１と同様に構成されているため、以下では、ＲＯＭ２１１、ＲＡＭ２１２及びＣＰＵ２１４について主に説明する。
なお、実施の形態２に係る映像情報処理方法は、映像情報処理装置２００により実行される方法である。
【００５３】
図９は、実施の形態２におけるコンテンツ管理設定情報の一例を示す概略図である。
コンテンツ管理設定情報２６４は、接続画素モード欄１６４ａと、管理Ｎｏ列１６４ｂと、ＣＨ列１６４ｃと、タイトル列１６４ｄと、画素モード列１６４ｅと、取得日列１６４ｆと、ダビング履歴列１６４ｇと、ジャンル列２６４ｉと、画面サイズ列２６４ｊとを有する。
ここで、コンテンツ管理設定情報２６４は、ＲＯＭ２１１及びＲＡＭ２１２により構成されるメモリに記憶される。
【００５４】
実施の形態２におけるコンテンツ管理設定情報２６４は、ジャンル列２６４ｉ及び画面サイズ列２６４ｊが追加されている点、並びに、減縮判断列１６４ｈが設けられていない点を除いて、実施の形態１におけるコンテンツ管理設定情報１６４と同様に構成されている。このため、以下では、主に、ジャンル列２６４ｉ及び画面サイズ列２６４ｊについて説明する。
ジャンル列２６４ｉは、管理Ｎｏ列１６４ｂで識別されるコンテンツデータのジャンルを格納する。
画面サイズ列２６４ｊは、管理Ｎｏ列１６４ｂで識別されるコンテンツデータに基づいて映像が表示された際の画面サイズを格納する。この画面サイズは、ユーザの指示に応じて、変更することができる。例えば、コンテンツの再生中に、リモコン等の入力部（図示せず）を介してユーザから画面サイズの変更が指示された場合には、変更後の画面サイズが画面サイズ列２６４ｊに格納される。
【００５５】
図５に示されているように、実施の形態２におけるＣＰＵ２１４により実現されるバックエンド部２２０は、コンテンツ情報管理部２２１と、表示装置情報取得部１２２と、表示装置画素数取得部１２３と、コンテンツ減縮判断部２２４と、番組予約部１２５と、ＨＤＤコンテンツ管理部１２６と、ＨＤＤデータ減縮部２２７とを備える。
実施の形態２におけるバックエンド部２２０は、コンテンツ情報管理部２２１、コンテンツ減縮判断部２２４及びＨＤＤデータ減縮部２２７を除いて、実施の形態１におけるバックエンド部１２０と同様に構成されているため、以下、主に、コンテンツ情報管理部２２１、コンテンツ減縮判断部２２４及びＨＤＤデータ減縮部２２７について説明する。
【００５６】
コンテンツ情報管理部２２１は、ユーザによる録画又は視聴を管理して、コンテンツ管理設定情報２６４を更新する。実施の形態２におけるコンテンツ情報管理部２２１は、実施の形態１におけるコンテンツ情報管理部１２１と同様の処理を行うほか、以下の処理を行う。
コンテンツ情報管理部２２１は、ＨＤＤ１１０に格納されたコンテンツデータの番組情報（例えば、ＥＩＴ情報）から番組のジャンルを取得して、コンテンツ管理設定情報２６４のジャンル列２６４ｉに格納する。
また、コンテンツ情報管理部２２１は、ＨＤＤ１１０に格納されているコンテンツデータの映像が表示された際の画面サイズをコンテンツ管理設定情報２６４の画面サイズ列２６４ｊに格納する。なお、画面サイズが特に決められていない場合には、コンテンツ情報管理部２２１は、予め定められたデフォルトの画面サイズを格納する。さらに、コンテンツ情報管理部２２１は、図示しない入力部を介して、ユーザが画面サイズを変更した場合には、変更後の画面サイズを対応する画面サイズ列２６４ｊに格納する。
【００５７】
コンテンツ減縮判断部２２４は、ユーザからのコンテンツ減縮設定の入力を受けて、ユーザの入力に応じた減縮処理を示すユーザ減縮フラグを生成する。
【００５８】
図１０は、コンテンツ減縮判断部２２４がユーザからのコンテンツ減縮設定の入力を受ける際に表示装置１４０に表示するコンテンツ減縮設定画面の一例を示す概略図である。
コンテンツ減縮設定画面２６５は、図示しない入力部を介して、ユーザがメニューにおいて特定の操作を行うことで表示される。また、コンテンツ減縮設定画面２６５での操作についても、この入力部を介して行われるものとする。
【００５９】
コンテンツ減縮設定画面２６５は、「減縮しない」のラジオボタン２６５ａと、「減縮する」のラジオボタン２６５ｂと、「表示機器の画素モードと同等に減縮する」のチェックボックス２６５ｃと、「画面サイズで減縮する」のチェックボックス２６５ｄと、「ダビング経験があれば減縮する」のチェックボックス２６５ｅと、「上記減縮時の優先順位を付ける」のチェックボックス２６５ｆと、「減縮時にＣＭもカットする」のチェックボックス２６５ｇと、「減縮後に詳細をユーザに知らせる」のチェックボックス２６５ｈと、減縮優先順位を決定する要素移動ボックス２６５ｉと、「↑」ボタン２６５ｊと、「↓」ボタン２６５ｋと、「決定」ボタン２６５ｌとを有する。
【００６０】
「減縮しない」のラジオボタン２６５ａは、コンテンツデータの減縮を行わない指示を入力するボタンである。ここで、「減縮しない」のラジオボタン２６５ａが選択された場合には、チェックボックス２６５ｃ〜２６５ｈ、要素移動ボックス２６５ｉ及びボタン２６５ｊ〜ボタン２６５ｌは、使用できなくなる。
「減縮する」のラジオボタン２６５ｂは、コンテンツデータの減縮を行う指示を入力するボタンである。ここで、「減縮する」のラジオボタン２６５ｂが選択された場合には、チェックボックス２６５ｃ〜２６５ｈ、要素移動ボックス２６５ｉ及びボタン２６５ｊ〜ボタン２６５ｌが使用できるようになる。
【００６１】
「表示機器の画素モードと同等に減縮する」のチェックボックス２６５ｃは、コンテンツ管理設定情報２６４の接続画素モード欄１６４ａに格納されている画素モードよりもコンテンツデータの画素モードが高い場合（例えば、接続画素モード欄１６４ａの画素モードが２Ｋで、記録されているコンテンツデータの画素モードが８Ｋの場合等）に、そのコンテンツデータの画素モードをダウンコンバートする指示を入力するためのチェックボックスである。
【００６２】
「画面サイズで減縮する」のチェックボックス２６５ｄは、ユーザが普段特定のジャンルの番組を視聴する際に、特定の画面サイズで視聴している場合、この特定の画面サイズ以外の領域を切り落とす指示を入力するためのチェックボックスである。例えば、あるユーザがジャンル「映画」のコンテンツを視聴する際には、ほぼ必ず画面サイズを「字幕イン」にしている場合は、「字幕イン」以外の周囲の領域は切り落としても良いこととなる。
【００６３】
「ダビング経験があれば減縮する」のチェックボックス２６５ｅは、ユーザがあるコンテンツデータをＢＤ−Ｒ等の他のメディアにダビングしたことがある場合（オリジナルデータは該他のメディアに保存してあるため）に、そのコンテンツデータの画質データを削減したり、（一旦伸長しなければ再生できない形式に）圧縮したりする指示を入力するためのチェックボックスである。
【００６４】
「上記減縮時の優先順位を付ける」のチェックボックス２６５ｆは、「画素モード減縮」、「画面サイズ減縮」及び「ダビング経験減縮」の各減縮方法（削減方法）に優先順位をつける指示を入力するチェックボックスである。「画素モード減縮」は、「表示機器の画素モードと同等に減縮する」のチェックボックス２６５ｃにチェックが入れられた場合に行われる減縮である。「画面サイズ減縮」は、「画面サイズで減縮する」のチェックボックス２６５ｄにチェックが入れられた場合に行われる減縮である。「ダビング経験減縮」は、「ダビング経験があれば減縮する」のチェックボックス２６５ｅにチェックが入れられた場合に行われる減縮である。
【００６５】
「上記減縮時の優先順位を付ける」のチェックボックス２６５ｆがチェックされた場合には、その右に位置する減縮優先順位を決定する要素移動ボックス２６５ｉ、「↑」ボタン２６５ｊ、「↓」ボタン２６５ｋ及び「決定」ボタン２６５ｌが使用可能になり、優先順位の決定は、これらを用いて行われる。
「画素モード減縮」、「画面サイズ減縮」及び「ダビング経験減縮」のうち、チェックボックス２６５ｃ〜２６５ｅにチェックされたものが要素移動ボックス２６５ｉ内に表示される。図１０では、これらの全てにチェックが入れられている。そして、ユーザは、図示しない入力部を用いて、要素移動ボックス２６５ｉ内に表示されている減縮方法の内、優先順位を変更するものを選択して、「↑」ボタン２６５ｊ及び「↓」ボタン２６５ｋを用いて優先順位を変更する。ユーザは、要素移動ボックス２６５ｉ内に表示されている優先順位でよい場合には、「決定」ボタン２６５ｌを押下する。
例えば、図１０に示されているように、「画素モード減縮」、「ダビング経験減縮」及び「画面サイズ減縮」の順に減縮優先順位を決定する場合、ユーザがリモコン（図示せず）で「画素モード圧縮」を選択し、リモコンの決定ボタン（図示せず）を押下すると「画素モード圧縮」を上下に動かせる状態になる。この状態で、ユーザは、右にある「↑」ボタン２６５ｊ又は「↓」ボタン２６５ｋをリモコンで押下し、「画素モード圧縮」を一番上に移動させる。ユーザは、他の減縮方法もリモコンの決定ボタン押下後、「↑」ボタン２６５ｊ又は「↓」ボタン２６５ｋで移動して所望の順位になった場合にリモコンで減縮優先順位の「決定」ボタン２６５ｌを選択して押下する。これにより、図１０に示されているように、「画素モード減縮」、「ダビング経験減縮」及び「画面サイズ減縮」の順に減縮優先順位を決定することができる。
【００６６】
「減縮時にＣＭもカットする」のチェックボックス２６５ｇは、コンテンツデータを減縮する際に、そのコンテンツデータに挿入されている広告放送をカットする指示を入力するためのチェックボックスである。
【００６７】
「減縮後に詳細をユーザに知らせる」のチェックボックス２６５ｈは、コンテンツデータの減縮が行われた後に、そのコンテンツデータの一覧又はＨＤＤ残容量がどの位になったか（例えば、画素モード４Ｋで録画時間分）等、詳細ページを表示する指示を入力するためのチェックボックスである。
【００６８】
図５に戻り、ＨＤＤデータ減縮部２２７は、ＨＤＤコンテンツ管理部１２６からの通知に応じて、コンテンツ管理設定情報２６４を参照して、コンテンツ減縮判断部２２４から与えられるユーザ減縮フラグに基づいて、コンテンツデータを減縮する。例えば、ＨＤＤデータ減縮部２２７は、コンテンツ減縮判断部２２４から与えられるユーザ減縮フラグで選択されている減縮方法を実行して、コンテンツデータのデータ量を削減する。また、ユーザ減縮フラグで優先順位が示されている場合には、ＨＤＤデータ減縮部２２７は、記録予定の総データ量がＨＤＤ１１０の残容量以下となるまで、優先順位に従って、順番に選択された減縮方法を実行する。
【００６９】
図１１は、実施の形態２におけるコンテンツ減縮フラグを生成する際の処理の一例を示すステートチャート図である。
まず、バックエンド部２２０のコンテンツ情報管理部２２１は、ＨＤＤコンテンツ管理部１２６を介して、表示装置画素数取得部１２３から表示装置１４０の画素数を取得し、コンテンツ管理設定情報２６４の接続画素モード欄１６４ａの情報を更新する（Ｓ３０）。
【００７０】
次に、コンテンツ減縮判断部２２４は、コンテンツ減縮設定画面２６５にて「圧縮しない」のラジオボタン２６５ａ及び「圧縮する」のラジオボタン２６５ｂの何れが押下されているか判断する（Ｓ３１）。「圧縮しない」のラジオボタン２６５ａが選択されている場合は、ＨＤＤ１１０内の各コンテンツデータは一切圧縮されないので、処理は終了する。「圧縮する」のラジオボタン２６５ｂが選択されている場合は、ＨＤＤ１１０内のコンテンツデータを圧縮するため、処理はステップＳ３２に移行する。
【００７１】
ステップＳ３２では、コンテンツ減縮判断部２２４は、減縮フラグを生成する。例えば、コンテンツ減縮判断部２２４は、初期値として「ＣＦ＝０ｘ０００１１１０１」なる１６進数で８桁の減縮フラグを生成する。
この初期値において、８桁目〜６桁目の「０」は、予約領域（Ｒｅｓｅｒｖｅｄ）とする。５桁目には、「減縮後に詳細をユーザに知らせる」のチェックボックス２６５ｈにチェックが入った場合に、「１」の値が立てられる。４桁目には、「減縮時にＣＭもカットする」のチェックボックス２６５ｇにチェックが入った場合に、「１」の値が立てられる。
３桁目には、「ダビング経験があれば減縮する」のチェックボックス２６５ｅにチェックが入った場合に値が立てられる。例えば、「上記減縮時の優先順位を付ける」のチェックボックス２６５ｆにチェックが入っていない場合は、この３桁目には「１」の値が立てられ、そのチェックボックス２６５ｆにチェックが入っている場合は、その優先順位の値（図１０の例では、ダビング経験圧縮は２番目なので「２」の値）が立てられる。
２桁目には、「画面サイズで減縮する」のチェックボックス２６５ｄにチェックが入った場合に値が立てられる。例えば、「上記減縮時の優先順位を付ける」のチェックボックス２６５ｆにチェックが入っていない場合は、この２桁目には「１」の値が立てられ、そのチェックボックス２６５ｆにチェックが入っている場合は、その優先順位の値（図１０の例では、画面サイズ圧縮は３番目なので「３」の値）が立てられる。
１桁目には、「表示機器の画素モードと同等に減縮する」のチェックボックス２６５ｃにチェックが入った場合に値が立てられる。例えば、「上記減縮時の優先順位を付ける」のチェックボックス２６５ｆにチェックが入っていない場合は、この１桁目には「１」の値が立てられ、そのチェックボックス２６５ｆにチェックが入っている場合は、その優先順位の値（図１０の例では、画素モード圧縮は１番目なので「１」の値）が立てられる。
【００７２】
次に、コンテンツ減縮判断部２２４は、コンテンツ減縮設定画面２６５にて「表示機器の画素モードと同等に減縮する」のチェックボックス２６５ｃが選択されているか判断する（Ｓ３３）。このチェックボックス２６５ｃが選択されていない場合は、処理はステップＳ３５に移行する。このチェックボックス２６５ｃが選択されている場合は、減縮フラグの画素モードビットを立てるため、処理はステップＳ３４に移行する。
【００７３】
ステップＳ３４では、コンテンツ減縮判断部２２４は、減縮フラグの画素モードビットに値を立てる。例えば、コンテンツ減縮判断部２２４は、「上記減縮時の優先順位を付ける」のチェックボックス２６５ｆが選択されている場合は、減縮フラグの画素モードビットに優先順位Ｎｏ（図１０の場合は、画素モードビットの値は「１」）を立て、そのチェックボックス２６５ｆが選択されていない場合は、減縮フラグの画素モードビットに「１」を立てる。
【００７４】
次に、コンテンツ減縮判断部２２４は、コンテンツ減縮設定画面２６５にて「画面サイズで減縮する」のチェックボックス２６５ｄが選択されているか判断する（Ｓ３５）。そのチェックボックス２６５ｄが選択されていない場合は、処理はステップＳ３７に移行する。そのチェックボックス２６５ｄが選択されている場合は、減縮フラグの画面サイズビットを立てるため、処理はステップＳ３６に移行する。
【００７５】
ステップＳ３６では、コンテンツ減縮判断部２２４は、減縮フラグの画面サイズビットに値を立てる。例えば、コンテンツ減縮判断部２２４は、「上記減縮時の優先順位を付ける」のチェックボックス２６５ｆが選択されている場合は、減縮フラグの画面サイズビットに優先順位Ｎｏ（図１０の場合は、画面サイズビットの値は「３」）を、チェックボックス２６５ｆが選択されていない場合は、減縮フラグの画面サイズビットに「１」を立てる。
【００７６】
次に、コンテンツ減縮判断部２２４は、コンテンツ減縮設定画面２６５にて「ダビング経験があれば減縮する」のチェックボックス２６５ｅが選択されているか判断する（Ｓ３７）。そのチェックボックス２６５ｅが選択されていない場合は、処理はステップＳ３９に移行する。チェックボックス２６５ｅが選択されている場合は、減縮フラグのダビング経験ビットを立てるため、処理はステップＳ３８に移行する。
【００７７】
ステップＳ３８では、コンテンツ減縮判断部２２４は、減縮フラグのダビング経験ビットに値を立てる。例えば、コンテンツ減縮判断部２２４は、「上記減縮時の優先順位を付ける」のチェックボックス２６５ｆが選択されている場合は、減縮フラグのダビング経験ビットに優先順位Ｎｏ（図１０の場合は、ダビング経験ビットの値は「２」）を、そのチェックボックス２６５ｆが選択されていない場合は、減縮フラグのダビング経験ビットに「１」を立てる。
【００７８】
次に、コンテンツ減縮判断部２２４は、コンテンツ減縮設定画面２６５にて「減縮時にＣＭもカットする」のチェックボックス２６５ｇが選択されているか判断する（Ｓ３９）。そのチェックボックス２６５ｇが選択されていない場合は、処理はステップＳ４１に移行する。チェックボックス２６５ｇが選択されている場合は、減縮フラグのＣＭカットビットを立てるため、処理はステップＳ４０に移行する。
【００７９】
ステップＳ４０では、コンテンツ減縮判断部２２４は、減縮フラグのＣＭカットビットに「１」を立てる。
【００８０】
次に、コンテンツ減縮判断部２２４は、コンテンツ減縮設定画面２６５にて「減縮後に詳細をユーザに知らせる」のチェックボックス２６５ｈが選択されているか判断する。そのチェックボックス２６５ｈが選択されていない場合は、処理は終了する。そのチェックボックス２６５ｈが選択されている場合は、減縮フラグの詳細通知ビットを立てるため、処理はステップＳ４２に移行する。
【００８１】
ステップＳ４２では、コンテンツ減縮判断部２２４は、減縮フラグの詳細通知ビットに「１」を立てる。
【００８２】
図１２は、実施の形態２においてコンテンツデータの減縮を行う際の処理の一例を示すステートチャート図である。
まず、バックエンド部２２０のＨＤＤコンテンツ管理部１２６は、ＨＤＤ１１０の残容量と、翌日の取得予定のコンテンツ（放送波による予約録画及びＷｅｂからの予約ダウンロードを含む）の総データ量とを比較する（Ｓ５０）。
【００８３】
次に、ＨＤＤコンテンツ管理部１２６は、Ｓ５０での比較の結果、ＨＤＤ残容量＞取得予定総データ量の場合と、ＨＤＤ残容量≦取得予定総データ量の場合とで、場合分けを行う（Ｓ２１）。
【００８４】
ＨＤＤ残容量＞取得予定総データ量の場合は、取得予定のコンテンツデータを問題なくＨＤＤ１１０に記録することができるため、処理はステップＳ５２に進む。
ステップＳ５２では、ＨＤＤデータ減縮部２２７は、コンテンツ減縮判断部２２４から得られる減縮フラグの詳細通知ビットが「１」の場合、削減コンテンツのタイトルリスト又は残り録画時間（例えば、画素モード４Ｋでの録画時間分等）の詳細画面を表示するための画面データを生成し、ＡＶ  Ｉ／Ｏ１１３を介して、表示装置１４０に送り、この画面データに基づいて、詳細画面を表示装置１４０に表示させる。
【００８５】
ＨＤＤ残容量≦取得予定総データ量の場合は、取得予定のコンテンツデータはそのままではＨＤＤ１１０に記録することができない。このため、ＨＤＤデータ減縮部２２７は、コンテンツ減縮判断部２２４から与えられた減縮フラグの各ビット値を取得する。
【００８６】
まず、ＨＤＤデータ減縮部２２７は、減縮フラグの画素モードビットを取得する（Ｓ５３）。例えば、図１１に示されている処理が行われた場合には、ＨＤＤデータ減縮部２２７は、減縮フラグＣｆ  ＆  ０ｘ０００００００Ｆで取得できる。
【００８７】
次に、ＨＤＤデータ減縮部２２７は、減縮フラグの画面サイズビットを取得する（Ｓ５４）。例えば、図１１に示されている処理が行われた場合には、ＨＤＤデータ減縮部２２７は、減縮フラグＣｆ  ＆  ０ｘ００００００Ｆ０  ＞＞  ４で取得できる。
【００８８】
次に、ＨＤＤデータ減縮部２２７は、減縮フラグのダビング経験ビットを取得する（Ｓ５５）。例えば、図１１に示されている処理が行われた場合には、ＨＤＤデータ減縮部２２７は、減縮フラグＣｆ  ＆  ０ｘ０００００Ｆ００  ＞＞  ８で取得できる。
【００８９】
次に、ＨＤＤデータ減縮部２２７は、減縮フラグのＣＭカットビットを取得する（Ｓ５６）。例えば、図１１に示されている処理が行われた場合には、ＨＤＤデータ減縮部２２７は、減縮フラグＣｆ  ＆  ０ｘ００００Ｆ０００  ＞＞  １２で取得できる。
【００９０】
次に、ＨＤＤデータ減縮部２２７は、減縮フラグの詳細通知ビットを取得する（Ｓ５７）。例えば、図１１に示されている処理が行われた場合には、ＨＤＤデータ減縮部２２７は、減縮フラグＣｆ  ＆  ０ｘ０００Ｆ００００  ＞＞  １６で取得できる。
【００９１】
次に、ＨＤＤデータ減縮部２２７は、取得された画素モードビット、画面サイズビット及びダビング経験ビットを確認する（Ｓ５８）。
【００９２】
ステップＳ５８で確認された３つのビット値が全て「０」又は「１」である場合は、処理はステップＳ６０に移行し、これらの３つのビット値に「０」及び「１」以外の値がある場合は、処理はステップＳ６３に移行する（Ｓ５９）。
【００９３】
ステップＳ６０では、ＨＤＤデータ減縮部２２７は、減縮フラグの画素モードビットが「１」の場合には、コンテンツ管理設定情報２６４を参照して、接続画素モード欄１６４ａに格納されている画素モードよりも大きな画素モードを有するコンテンツデータの内、最も値の大きな画素モードを有するコンテンツデータを一段下の画素モードにダウンコンバートする。例えば、図９の例では、接続画素モード欄１６４ａが２Ｋであるので、画素モードが８Ｋのコンテンツデータを４Ｋにダウンコンバートする。
【００９４】
続いて、ＨＤＤデータ減縮部２２７は、減縮フラグのダビング経験ビットが「１」の場合には、コンテンツ管理設定情報２６４を参照して、ダビング経験があるコンテンツデータの減縮を行う（Ｓ６１）。ここでは、ＨＤＤデータ減縮部２２７は、このようなコンテンツデータの画質を一段下の画質に変更するか、又は、現在のコンテンツデータの圧縮方式よりも一段データ量が少なくなる圧縮方式にて、コンテンツデータを圧縮する。
【００９５】
続いて、ＨＤＤデータ減縮部２２７は、減縮フラグの画面サイズビットが「１」の場合には、コンテンツ管理設定情報２６４を参照して、ユーザが普段特定のジャンルのコンテンツを視聴する際に、特定の画面サイズで視聴している場合に、そのジャンルのコンテンツのコンテンツデータにおいて、この特定の画面サイズのデータを残し、それ以外の領域のデータを切り落とす。例えば、あるユーザがジャンル「映画」を視聴する際には、ほぼ必ず画面サイズを「字幕イン」にしている場合は、「映画」のコンテンツデータから「字幕イン」以外の周囲の領域は切り落とす。ここで、例えば、ＨＤＤデータ減縮部２２７は、ジャンル毎に画面サイズの集計を行い、このジャンルのコンテンツデータの総数に対する特定の画面サイズを使用しているコンテンツデータの割合が予め定められた閾値よりも大きい場合には、ユーザが普段特定のジャンルのコンテンツを視聴する際に、特定の画面サイズで視聴していると判断する。そして、処理はステップＳ６７に進む。
【００９６】
ステップＳ５９で、３つのビット値に「０」及び「１」以外の値が含まれている場合には、処理はステップＳ６３に進む。ステップＳ６３では、ＨＤＤデータ減縮部２２７は、選択された各々の減縮方法に優先順位を付ける。例えば、図１０に示されているように、減縮方法として、画素モード減縮、ダビング経験減縮及び画面サイズ減縮が選択されている場合には、ＨＤＤデータ減縮部２２７は、これらの減縮方法に対して、各ビットの大小順に優先順位を付ける。
【００９７】
続いて、ＨＤＤデータ減縮部２２７は、第１優先順位の減縮方法を実行する（Ｓ６４）。ステップＳ６４の処理が行われた後は、処理はステップＳ５０に戻る。既にステップＳ６４の処理が行われていれば、ステップＳ６４はスルーして、処理はステップＳ６５に移行する。例えば、図１０の例では、ここでは、画素モード減縮が行われる。具体的には、ＨＤＤデータ減縮部２２７は、接続画素モード欄１６４ａに格納されている画素モードよりも大きな画素モードを有する全てのコンテンツデータの画素モードを接続画素モード欄１６４ａに格納されている画素モードにダウンコンバートする。
【００９８】
続いて、ステップＳ６５では、ＨＤＤデータ減縮部２２７は、第２優先順位の減縮方法を実行する。ステップＳ６５の処理が行われた後は、処理はステップＳ６７に進む。既にステップＳ６５の処理が行われていれば、ステップＳ６５はスルーして、処理はステップＳ６６に移行する。例えば、図１０の例では、ダビング経験減縮が行われる。具体的には、ＨＤＤデータ減縮部２２７は、ダビングが既に行われたコンテンツデータを予め定められた圧縮方式で圧縮する。
【００９９】
続いて、ステップＳ６６では、ＨＤＤデータ減縮部２２７は、第３優先順位の減縮方法を実行する。ステップＳ６６の処理が行われた後は、処理はステップＳ６７に進む。既にステップＳ６６が行われている場合には、ステップＳ６６をスルーして、処理はステップＳ６７に進む。例えば、図１０の例では、画面サイズ減縮が行われ、ＨＤＤデータ減縮部２２７は、コンテンツ管理設定情報２６４を参照して、ユーザが普段特定のジャンルのコンテンツを視聴する際に、特定の画面サイズで視聴している場合に、そのジャンルのコンテンツのコンテンツデータにおいて、この特定の画面サイズのデータを残し、それ以外の領域のデータを切り落とす。
【０１００】
ステップＳ６７では、減縮フラグのＣＭカットビットが「１」の場合、ＨＤＤデータ減縮部２２７は、ステップＳ６４、ステップＳ６５又はステップＳ６６で処理されたコンテンツデータからＣＭをカットする。そして、処理はステップＳ５０に戻る。
【０１０１】
例えば、図１０に示されているコンテンツ減縮設定画面２６５では、「圧縮する」のラジオボタン２６５ｂが選択され、且つ、全てのチェックボックス２６５ｃ〜２６５ｈが選択されている。そして、要素移動ボックス２６５ｉにおける優先順位は、第１位が「画素モード圧縮、第２位が「ダビング経験圧縮」、第３位が「画面サイズ減縮」である。このため、図９に示されているコンテンツ管理設定情報２６４の例では、第１優先順位の減縮（図１３のステップＳ６４）において、接続画素モード欄１６４ａが２Ｋであるため、画素モード８Ｋの「音楽ステーション」、画素モード４Ｋの「軍師勘太郎」がダウンコンバートの対象となる。なお、画素モード２Ｋの「映：パリ―ポッター」、１Ｋの「映：ロードオブザキング」、「ミュージック鳳凰」及び「笑っていいかな？」は、ダウンコンバートの対象とはならない。また、第２優先順位の減縮（図１３のステップＳ６５）において、ダビング経験が１回ある「ミュージック鳳凰」が圧縮の対象となる。さらに、第３優先順位の減縮（図１３のステップＳ６６）において、このユーザは映画を視聴する際は画面サイズを「字幕イン」で視聴する傾向が非常に強いため、ジャンルが「映画」のコンテンツデータ（「映：パリ−ポッター」及び「映：ロードオブザキング」）が画面サイズの削減対象とされる。
【０１０２】
以上説明した実施の形態２によれば、上記（１）〜（２）の効果の他に、下記（３）〜（５）の効果が得られる。
（３）実施の形態２では、映像情報処理装置２００は、各コンテンツデータのジャンル等を決定する番組情報とそのジャンルに対して、ユーザが視聴する際の画面サイズ情報をメモリ内のコンテンツ管理設定情報２６４で管理し、コンテンツデータを減縮する際に、どの様な減縮方法を行うか決定する。この状態で、今後の取得予定コンテンツの総データ量と、ＨＤＤ残容量とを比較して、前者が後者以上である場合は、減縮方法が決定されたコンテンツデータの減縮を行い、ＨＤＤ１１０の残容量を増やして、コンテンツデータを劣化させることなくＨＤＤ１１０に記録することができる。
【０１０３】
（４）映像情報処理装置２００は、メモリ内のコンテンツ管理設定情報２６４にてコンテンツデータのジャンルと、そのジャンルに対してユーザが視聴する際の画面サイズ情報とを管理し、これらを参照して、コンテンツデータを減縮する際の減縮対象及び減縮順位を決定する。これにより、ＨＤＤ１１０の動的圧縮に新たな減縮方法を追加することができる。
【０１０４】
（５）映像情報処理装置２００は、ＨＤＤ１１０の残容量を増やすため、ＨＤＤ１１０内のコンテンツデータを動的に減縮する際に、ユーザがどの減縮方法を採用するか又はどの減縮方法を優先的に実行するかを決めることができる。これにより、ＨＤＤ１１０の動的減縮に柔軟性を持たせることができる。
【０１０５】
実施の形態３．
以下、実施の形態３を説明する。
図１に示されているように、実施の形態３に係る映像情報処理装置３００は、チューナ部１０１と、復調ＬＳＩ１０２と、デマルチプレクサ１０３と、デコーダ１０４と、ネットワークＩ／Ｆ１０５と、Ｗｅｂブラウザ部１０６と、ストリーミング受信処理部１０７と、ＤＲＭ処理部１０８と、デクリプタ１０９と、ＨＤＤ１１０と、ＲＯＭ３１１と、ＲＡＭ３１２と、ＡＶ  Ｉ／Ｏ１１３と、ＣＰＵ３１４と、ローカルバス１１５とを備える。実施の形態３に係る映像情報処理装置３００は、ＲＯＭ３１１及びＲＡＭ３１２に記憶されている情報、並びに、ＣＰＵ３１４での処理を除いて、実施の形態１と同様に構成されているため、以下では、ＲＯＭ３１１、ＲＡＭ３１２及びＣＰＵ３１４について主に説明する。
なお、実施の形態３に係る映像情報処理方法は、映像情報処理装置３００により実行される方法である。
【０１０６】
図１３は、実施の形態３におけるコンテンツ管理設定情報の一例を示す概略図である。
コンテンツ管理設定情報３６４は、管理Ｎｏ列１６４ｂと、ＣＨ列１６４ｃと、タイトル列１６４ｄと、画素モード列１６４ｅと、取得日列１６４ｆと、減縮判断列１６４ｈと、メタデータ列３６４ｉと、最新視聴日列３６４ｊと、視聴回数列３６４ｋと、減縮判断フラグ列３６４ｌとを有する。
ここで、コンテンツ管理設定情報３６４は、ＲＯＭ３１１及びＲＡＭ３１２により構成されるメモリに記憶される。
【０１０７】
実施の形態３におけるコンテンツ管理設定情報３６４は、接続画素モード欄１６４ａ及びダビング履歴列１６４ｇが備えられていない点、並びに、メタデータ列３６４ｉ、最新視聴日列３６４ｊ、視聴回数列３６４ｋ及び減縮判断フラグ列３６４ｌが追加されている点を除いて、実施の形態１におけるコンテンツ管理設定情報１６４と同様に構成されているため、以下では、主に、メタデータ列３６４ｉ、最新視聴日列３６４ｊ、視聴回数列３６４ｋ及び減縮判断フラグ列３６４ｌについて説明する。
【０１０８】
メタデータ列３６４ｉは、管理Ｎｏ列１６４ｂで識別されるコンテンツデータのメタデータを格納する。メタデータには、番組名、番組サブタイトル、キャスト（出演者情報）又は番組内容等のコンテンツに関連する情報が含まれている。例えば、メタデータは、ＥＩＴ情報から取得される。
最新視聴日列３６４ｊは、管理Ｎｏ列１６４ｂで識別されるコンテンツデータを最後に視聴した日付を格納する。
視聴回数列３６４ｋは、管理Ｎｏ列１６４ｂで識別されるコンテンツデータの視聴回数を格納する。
減縮判断フラグ列３６４ｌは、コンテンツ減縮判断部３２４で計算された減縮判断フラグηを格納する。減縮判断フラグηについては、後で詳細に説明する。
【０１０９】
図５に示されているように、実施の形態３におけるＣＰＵ３１４により実現されるバックエンド部３２０は、コンテンツ情報管理部３２１と、表示装置情報取得部１２２と、表示装置画素数取得部１２３と、コンテンツ減縮判断部３２４と、番組予約部１２５と、ＨＤＤコンテンツ管理部１２６と、ＨＤＤデータ減縮部１２７とを備える。
実施の形態３におけるバックエンド部３２０は、コンテンツ情報管理部３２１及びコンテンツ減縮判断部３２４を除いて、実施の形態１におけるバックエンド部１２０と同様に構成されているため、以下、主に、コンテンツ情報管理部３２１及びコンテンツ減縮判断部３２４について説明する。
【０１１０】
コンテンツ情報管理部３２１は、実施の形態１と同様の処理を行うほか、以下の処理を行う。
コンテンツ情報管理部３２１は、ＨＤＤコンテンツ管理部１２６を介して、ＨＤＤに記録されるコンテンツデータのメタデータを取得して、コンテンツ管理設定情報３６４の対応する列に格納する。
コンテンツ情報管理部３２１は、ＨＤＤコンテンツ管理部１２６を介して、ＨＤＤ１１０に記録されているコンテンツデータの最新視聴日及び視聴回数を特定して、コンテンツ管理設定情報３６４の対応する列に格納する。
コンテンツ情報管理部３２１は、コンテンツ減縮判断部３２４から、減縮判断フラグη及び減縮判断結果を取得して、コンテンツ管理設定情報３６４の対応する列に格納する。
さらに、コンテンツ情報管理部３２１は、コンテンツ管理設定情報３６４を参照して、コンテンツデータのメタデータを解析して、ＨＤＤ１１０に記憶されている全てのコンテンツデータのメタデータにおける特定のキーワードを検索する。ここでは、コンテンツ情報管理部３２１は、例えば、全てのコンテンツデータのメタデータに含まれる最多キーワードを検索する。この最多キーワードの検索方法については、公知の技術を使用すればよい。
【０１１１】
コンテンツ減縮判断部３２４は、ＨＤＤ１１０に記録されているコンテンツデータ毎に好ましさの度合いを算出し、その好ましさの度合いが閾値に対応する度合いよりも低いコンテンツデータを特定し、特定されたコンテンツデータのデータ量を削減することで、ＨＤＤ１１０の残容量を増やす。
また、コンテンツ減縮判断部３２４は、特定されたコンテンツデータのデータ量を削減した後でも、記録予定のコンテンツデータのデータ量がＨＤＤ１１０の残容量以上である場合には、閾値を変えることで、好ましさの度合いが変化後の閾値に対応する度合いよりも低いと判断されるコンテンツデータの数を増やして、そのコンテンツデータのデータ量を削減して、ＨＤＤ１１０の残容量をさらに増やす。
例えば、好ましさの度合いは、視聴回数が多いほど小さく、最後の視聴日からの日数が少ないほど小さく、かつ、特定のキーワードがメタデータに含まれている場合に、その特定のキーワードがメタデータ含まれていない場合よりも小さくなる値で示される。
【０１１２】
具体的には、コンテンツ減縮判断部３２４は、コンテンツ管理設定情報３６４を参照して、コンテンツ情報管理部３２１で特定された最多キーワード、並びに、コンテンツデータ毎の最新視聴日及び視聴回数を用いて、コンテンツデータ毎に好ましさの度合いを示す減縮判断フラグηを算出する。そしてコンテンツ減縮判断部３２４は、算出された減縮判断フラグηに基づいて、コンテンツデータ毎に減縮を行うか否かを判断する。コンテンツ減縮判断部２２４が算出した減縮判断フラグη及び減縮の判断結果は、コンテンツ情報管理部２２１に送られる。コンテンツ情報管理部２２１は、減縮判断フラグη及び減縮の判断結果を、コンテンツ管理設定情報３６４の対応する列に格納する。
【０１１３】
図１４は、コンテンツデータの減縮を行うか否かを判断する処理の一例を示すステートチャート図である。
まず、コンテンツ情報管理部３２１は、コンテンツ管理設定情報３６４を参照して、全コンテンツデータのメタデータ内で最も数多くあるキーワードを検索し、最多キーワードとして特定する（Ｓ７０）。
【０１１４】
次に、コンテンツ減縮判断部３２４は、コンテンツ管理設定情報３６４を参照して、ステップＳ７０で特定された最多キーワード、並びに、コンテンツデータ毎の最新視聴日及び視聴回数から減縮判断フラグηを計算する（Ｓ７１）。
以下、減縮判断フラグηの算出方法を説明する。
まず、メタデータ内の最多キーワードをＡとする。
次に、コンテンツ減縮判断部３２４は、下記の（１）式により、減縮判定ベクトルｖを算出する。
【数１】
0006388562.tif 000002
ここで、ξは、メタデータ指数であり、下記の（２）式により求められる。
【数２】
0006388562.tif 000003
また、δは、最新視聴間隔であり、下記の（３）式により求められる。
【数３】
0006388562.tif 000004
【０１１５】
そして、コンテンツ減縮判断部３２４は、下記の（４）式により、減縮判断フラグηを算出する。
【数４】
0006388562.tif 000005
ここで、ｓｑｒｔは、平方根を示し、ｐｏｗは累乗を示す。
【０１１６】
そして、コンテンツ減縮判断部３２４は、算出された減縮判断フラグηが予め定められた閾値Ｆｔｈよりも小さい場合には、そのコンテンツデータを減縮しないと判断し、それが予め定められた閾値Ｆｔｈ以上である場合には、そのコンテンツデータを減縮すると判断する。そして、コンテンツ減縮判断部３２４は、減縮判断フラグη及び減縮の判断結果を、コンテンツ情報管理部３２１に通知する。コンテンツ情報管理部３２１は、減縮判断フラグη及び減縮の判断結果を、コンテンツ管理設定情報３６４の対応する列に格納する（Ｓ７２）。
【０１１７】
図１５は、実施の形態３においてコンテンツデータの減縮を行う際の処理の一例を示すステートチャート図である。
まず、バックエンド部３２０のＨＤＤコンテンツ管理部１２６は、ＨＤＤ１１０の残容量と、翌日の取得予定のコンテンツの総データ量とを比較する（Ｓ８０）。
【０１１８】
次に、ＨＤＤコンテンツ管理部１２６は、ステップＳ８０での比較の結果、ＨＤＤ残容量＞取得予定総データ量の場合と、ＨＤＤ残容量≦取得予定総データ量の場合とで、場合分けを行う（Ｓ８１）。
【０１１９】
ＨＤＤ残容量＞取得予定総データ量の場合は、取得予定のコンテンツデータを問題なくＨＤＤ１１０に記録することができるため、何もしないで処理は終了する。
ＨＤＤ残容量≦取得予定総データ量の場合は、取得予定のコンテンツデータはそのままではＨＤＤ１１０に記録することができない。このため、ＨＤＤデータ減縮部１２７は、ＨＤＤコンテンツ管理部１２６を介して、減縮判断列１６４ｈの値が「○」となっているコンテンツデータの減縮を行う。ここでは、実施の形態１と同様に減縮を行えばよい。
【０１２０】
次に、コンテンツ減縮判断部３２４は、減縮判断フラグηの閾値Ｆｔｈの値を以前の値より少し小さくする（Ｓ８３）。例えば、コンテンツ減縮判断部３２４は、予め定められた値を閾値Ｆｔｈから減算してもよく、また、予め定められた値を閾値Ｆｔｈに乗算してもよい。なお、閾値Ｆｔｈの初期値は、予め定められているものとする。そして、処理はステップＳ８０に戻る。
ステップＳ８３で、閾値Ｆｔｈを少し小さくすることにより、再度ステップＳ８０でＨＤＤ残容量≦取得予定総データ量となった場合でも、データ削減対象のコンテンツデータが多くなるため、最終的にはＨＤＤ残容量＞取得予定総データ量となって処理を終えることができる。
【０１２１】
例えば、図１３に示されているコンテンツ管理設定情報３６４によれば、各コンテンツデータの減縮判断フラグηの値は、次のようになる（現在の日付を２０１４／１２／０７とする）。
「音楽ステーション」      ：η＝sqrt(0＋1)/2＝0.5
「軍師勘太郎」            ：η＝sqrt(0＋16)/1＝4
「映：パリ―ポッター」    ：η＝sqrt(100＋63×63)/3＝21.2629
「映：ロードオブザキング」：η＝sqrt(100＋117×117)/5＝23.4853
「ミュージック鳳凰」      ：η＝sqrt(0＋16)/33＝0.485
「笑っていいかな？」      ：η＝sqrt(100＋920×920)/12＝76.6712
【０１２２】
ここで、図１４のステップＳ７２における閾値Ｆｔｈを「４．５」として、減縮判断フラグηとの比較を行う。この場合、「笑っていいかな？」が減縮の対象となる。「笑っていいかな？」のコンテンツデータを減縮した後、取得予定のコンテンツの総データ量がＨＤＤ１１０の残容量以上となる場合は、例えば、閾値Ｆｔｈを３．５とすることで、「軍師勘太郎」も減縮の対象となる。このため、ＨＤＤ１１０の残容量は動的に増え、取得予定番組の総データ量＜ＨＤＤ残容量となり、取得予定のコンテンツデータを、劣化させることなくＨＤＤ１１０に記録することができる。
【０１２３】
実施の形態３によれば、上記（１）〜（５）の効果の他に、下記（６）及び（７）の効果が得られる。
（６）映像情報処理装置３００は、コンテンツデータの減縮を行った後でも、今後の取得予定番組の総データ量がＨＤＤ１１０の残容量以上となる場合には、減縮対象となるコンテンツデータを増やすことで、ＨＤＤ１１０の残容量を増やし、今後の取得予定のコンテンツデータを劣化させることなく、ＨＤＤ１１０に記録することができる。
【０１２４】
（７）映像情報処理装置３００は、コンテンツ管理設定情報３６４にて、各コンテンツデータのメタデータ内で多数登場するキーワードと、ユーザが視聴した最新視聴日と、視聴回数とからコンテンツ容量を減縮する際の削減判断又は削減順位を決定する。これによりどのコンテンツデータを減縮対象とするか決定したり、減縮するコンテンツデータの順位を決定したりすることができ、ＨＤＤ１１０の残容量を動的に増やすことができる。
【０１２５】
なお、本発明は、上記実施の形態１〜３に限定されるものではなく、本発明の要旨を逸脱しない範囲内において種々の態様で実施することができる。
【符号の説明】
【０１２６】
１００，２００，３００  映像情報処理装置、  １０１  チューナ部、  １０２  復調ＬＳＩ、  １０３  デマルチプレクサ、  １０４  デコーダ、  １０５  ネットワークＩ／Ｆ、  １０６  Ｗｅｂブラウザ部、  １０７  ストリーミング受信処理部、  １０８  ＤＲＭ処理部、  １０９  デクリプタ、  １１０  ＨＤＤ、  １１１，２１１，３１１  ＲＯＭ、  １１２，２１２，３１２  ＲＡＭ、  １１３  ＡＶ  Ｉ／Ｏ、  １１４，２１４，３１４  ＣＰＵ、  １１５  ローカルバス、  １２０，２２０，３２０  バックエンド部、  １２１，２２１，３２１  コンテンツ情報管理部、  １２２  表示装置情報取得部、  １２３  表示装置画素数取得部、  １２４，２２４，３２４  コンテンツ減縮判断部、  １２５  番組予約部、  １２６  ＨＤＤコンテンツ管理部、  １２７，２２７  ＨＤＤデータ減縮部。
【図１】
0006388562.tif 000006
【図２】
0006388562.tif 000007
【図３】
0006388562.tif 000008
【図４】
0006388562.tif 000009
【図５】
0006388562.tif 000010
【図６】
0006388562.tif 000011
【図７】
0006388562.tif 000012
【図８】
0006388562.tif 000013
【図９】
0006388562.tif 000014
【図１０】
0006388562.tif 000015
【図１１】
0006388562.tif 000016
【図１２】
0006388562.tif 000017
【図１３】
0006388562.tif 000018
【図１４】
0006388562.tif 000019
【図１５】
0006388562.tif 000020